(57)【要約】 【課題】本願発明の目的は、ペン先の滑り、高級感に優れるタッチパネル用情報入力器具を提供することにある。また、棒状の物に容易に取り付けられ、容易に情報入力器具としての機能を付与することができるタッチパネル用アタッチメントを提供することにある。【解決手段】本願発明のタッチパネル用情報入力器具は、タッチパネルと接触する先端部分が、導電性物質を含む皮革であることを特徴とする。本願発明のタッチパネル用アタッチメントは、タッチパネルと接触する先端部分、棒状の物に取り付ける部分、及び人体に触れる部分を有するタッチパネル用アタッチメントであって、上記タッチパネルと接触する先端部分が導電性物質を含み、上記タッチパネルと接触する先端部分と上記人体に触れる部分とが、電気的に接合しており、上記棒状の物に取り付ける部分に、棒状の物を取り付けてタッチパネルを操作することを特徴とする。【選択図】図１
2016038835.tif 000002
【特許請求の範囲】
【請求項１】
タッチパネルと接触する先端部分が、導電性物質を含む皮革であることを特徴とするタッチパネル用情報入力器具。
【請求項２】
タッチパネルと接触する先端部分、棒状の物に取り付ける部分、及び人体に触れる部分を有し、
前記タッチパネルと接触する先端部分が導電性物質を含み、
前記タッチパネルと接触する先端部分と前記人体に触れる部分とが、電気的に接合しており、
前記棒状の物に取り付ける部分に、棒状の物を取り付けてタッチパネルを操作することを特徴とするタッチパネル用アタッチメント。
【発明の詳細な説明】
【技術分野】
【０００１】
本発明は、タッチパネル用情報入力器具およびタッチパネル用アタッチメントに関する。
【背景技術】
【０００２】
スマートフォン、携帯型のＰＣ、携帯情報端末などのタッチパネルにおいては、画面を指先で操作することが多い。しかしながら、指先での操作には、皮脂や指紋跡が付着して画面が見にくくなる、指先の接触領域が一定せず操作しにくい、爪が長い場合や爪に加工を施した場合（ネイルや付け爪をした場合）に操作しにくいなどの問題があった。これらの問題を解決するために、ペン先が合成樹脂製やゴム製のタッチペンが利用される場合がある（例えば、特許文献１参照）。
【先行技術文献】
【特許文献】
【０００３】
【特許文献１】特開２０００−１２２７９９号公報
【発明の概要】
【発明が解決しようとする課題】
【０００４】
ペン先が合成樹脂製やゴム製であると、タッチパネル面上でペン先の滑りが悪い場合があった。また、高級感を十分に表現できない場合があった。すなわち、従来のタッチペンは、ペン先の滑り、高級感などの点では、未だ不十分であり、改善が求められていた。また、情報入力器具として、棒状の物に取り付けて使用するものは知られていなかった。
【０００５】
従って、本発明の目的は、ペン先の滑り、高級感に優れるタッチパネル用情報入力器具を提供することにある。また、棒状の物に取り付けてタッチパネルの操作をすることができるタッチパネル用アタッチメントを提供することにある。
【０００６】
そこで、本発明者は、上記目的を達成するため鋭意検討した結果、導電性物質を含む皮革を用いることにより、タッチパネルに対する優れた操作性が得られることを見出し、本発明を完成した。また、特定の構成を有するアタッチメントを用いると棒状の物に容易に取り付けることができ、タッチパネルの操作をすることができることを見出し、本発明を完成した。
【０００７】
すなわち、本発明は、タッチパネルと接触する先端部分が、導電性物質を含む皮革であることを特徴とするタッチパネル用情報入力器具を提供する。
【０００８】
また、本発明は、タッチパネルと接触する先端部分、棒状の物に取り付ける部分、及び人体に触れる部分を有し、上記タッチパネルと接触する先端部分が導電性物質を含み、上記タッチパネルと接触する先端部分と上記人体に触れる部分とが、電気的に接合しており、上記棒状の物に取り付ける部分に、棒状の物を取り付けてタッチパネルを操作することを特徴とするタッチパネル用アタッチメントを提供する。
【発明の効果】
【０００９】
本発明のタッチパネル用情報入力器具は、上記構成を有することにより、スマートフォン、携帯型のＰＣ、携帯情報端末などタッチパネル操作時のペン先の滑りに優れる。また、高級感がでる。また、本発明のタッチパネル用アタッチメントは、上記構成を有することにより、棒状の物に取り付けてタッチパネルの操作をすることができる。
【図面の簡単な説明】
【００１０】
【図１】図１は、本発明のタッチパネル用情報入力器具の一例を示す概略図である。
【図２】図２は、本発明のタッチパネル用情報入力器具の一例を示す概略図である。
【図３】図３は、本発明のタッチパネル用情報入力器具の一例を示す概略図である。
【図４】図４は、本発明のタッチパネル用情報入力器具の一例を示す概略図である。
【図５】図５は、本発明のタッチパネル用情報入力器具の一例を示す概略図である。
【図６】図６は、本発明のタッチパネル用情報入力器具の一例を示す概略図である。
【図７】図７は、本発明のタッチパネル用情報入力器具の一例を示す概略図である。
【図８】図８は、本発明のタッチパネル用情報入力器具の一例を示す概略図である。
【図９】図９は、本発明のタッチパネル用情報入力器具、又はタッチパネル用アタッチメントの一例を示す概略図である。
【図１０】図１０は、本発明のタッチパネル用情報入力器具、又はタッチパネル用アタッチメントの一例を示す概略図である。
【図１１】図１１は、本発明のタッチパネル用情報入力器具、又はタッチパネル用アタッチメントの一例を示す概略図である。
【図１２】図１２は、本発明のタッチパネル用情報入力器具、又はタッチパネル用アタッチメントの使用態様の一例を示す概略図である。
【図１３】図１３は、本発明のタッチパネル用情報入力器具、又はタッチパネル用アタッチメントの一例を示す概略図である。
【図１４】図１４は、アタッチメントにおける先端面の傾きの説明図である。
【図１５】図１５は、アタッチメントにおける先端面の傾きの説明図である。
【図１６】図１６は、本発明のタッチパネル用情報入力器具に設ける導電性皮革の形状の一例を示す概略図である。
【図１７】図１７は、本発明のタッチパネル用情報入力器具に設ける導電性皮革の形状の一例を示す概略図である。
【図１８】図１８は、本発明のタッチパネル用情報入力器具に設ける導電性皮革の形状の一例を示す概略図である。
【発明を実施するための形態】
【００１１】
［タッチパネル用情報入力器具］
本発明のタッチパネル用情報入力器具のタッチパネルと接触する先端部分（タッチパネルと接触する部位を含む領域）は、導電性物質を含む皮革である。タッチパネルと接触する上記先端部分は、導電性（電気を通す性質）を有する。タッチパネルと接触する上記先端部分には、皮革、導電性物質以外にも、例えば、さらに、加脂剤、色材などが含まれていてもよい。
なお、本明細書において、タッチパネル用情報入力器具を、単に「情報入力器具」と称する場合がある。また、導電性物質を含む皮革を「導電性皮革」と、導電性物質を含む皮革からなるタッチパネルと接触する先端部分を「導電性皮革先端部分」と称する場合がある。
【００１２】
上記皮革としては、特に限定されないが、例えば、天然皮革、人工皮革、合成皮革などが挙げられる。上記天然皮革としては、特に限定されないが、例えば、牛、豚、馬、鹿、羊、ヤギ、カンガルー、ペッカリー、カピパラ、テグーなど哺乳類、ワニ、ヘビ、トカゲ、ウミガメなどの爬虫類、ダチョウなどの鳥類の皮膚を剥いだもの、又はこれらの組み合わせなどが挙げられる。上記人工皮革としては、例えば、不織布に合成樹脂を含浸させたものなどが挙げられる。上記合成皮革としては、例えば、天然の布地を基材として、合成樹脂を塗布したものなどが挙げられる。中でも、操作性（ペン先の滑り、ペン先の弾性など）、コスト、触感、高級感のある外観、導電性物質が含浸しやすいという観点から、天然皮革が好ましく、より好ましくは牛、豚、又は羊の皮革、さらに好ましくは牛の皮革である。上記皮革は、１種であってもよいし、２種以上を組み合わせてもよい。
【００１３】
上記皮革は、特に限定されないが、例えば、鞣し加工、エナメル加工、オイルやワックスなどによる加工、はっ水加工、防水加工、型押し加工などの加工が施されていてもよい。
【００１４】
上記鞣し加工としては、特に限定されないが、例えば、上記皮革に、クロム鞣し、アルミニウム塩鞣し、タンニン鞣し、油鞣し、これらの混合物などの鞣し液を浸透させ、乾燥させる方法が挙げられる。
【００１５】
上記皮革は、例えば、白、赤、黒、茶、青、黄などのあらゆる色に彩色加工がされていてもよい。
【００１６】
上記導電性物質とは、電気を通す性質を有する物質をいう。上記導電性物質としては、特に限定されないが、例えば、カーボンブラック、カーボンナノチューブ、グラファイトなどの炭素系物質；ポリアセチレン、ポリピロール、ポリチオフェン、ポリアニリン、ポリチオフェン、ポリ（ｐ−硫化フェニレン）、ポリパラ−フェニレンビニレン、ポリインドール、ポリピレン、ポリカルバゾール、ポリアズレン、ポリアゼピン、ポリフルオレン、ＰＥＤＯＴ（ポリエチレンジオキシチオフェン）、ポリナフタレン、およびこれらの組み合わせなどのポリマー；銀、銅、金、ニッケル、アルミニウム、インジウム、亜鉛、スズ、タンタル、マグネシウム、ナトリウム、ベリリウム、バリウム、カドミウム、カルシウム、ルビジウム、セシウム、リチウム、モリブデン、コバルト、ウラン、クロム、マンガン、鉄、白金、タングステン、オスミウム、チタン、イリジウム、ルテニウム、ニッケル、ロジウム、パラジウム、鋼、タリウム、鉛、ニオビウム、バナジウム、砒素、アンチモン、水銀、ビスマス、テルル、及びこれらの組み合わせ、または合金などの金属、上記金属の酸化物（例えば酸化チタン（例えば、ＡＴＯ被覆酸化チタン）、酸化亜鉛（例えば、Ａｌ被覆酸化亜鉛）三酸化アンチモン（ＡＴＯ）、酸化インジウムスズ（ＩＴＯ）など）などが挙げられる。中でも、コストや皮革への含浸性の観点から、カーボンブラック、酸化チタン（特に、ＡＴＯ被覆酸化チタン）、酸化亜鉛（特に、Ａｌ被覆酸化亜鉛）が好ましい。上記導電性物質は、単独で又は２種以上を組み合わせて使用できる。
【００１７】
上記導電性皮革において上記皮革に含まれる上記導電性物質の割合（導電性物質を含浸又は塗工した皮革に含まれる導電性物質の割合）は、特に限定されないが、例えば、上記皮革１００重量部に対して、１〜１００重量部が好ましい。上記割合の上限としては、例えば、より好ましくは６０重量部、さらに好ましくは４０重量部、さらに好ましくは３０重量部、さらに好ましくは２０重量部、さらに好ましくは１０重量部、特に好ましくは６重量部である。また、上記割合の下限としては、例えば、２重量部が好ましく、より好ましくは３重量部である。導電性物質の割合が上記範囲であることにより、画面に触れる際の触感、使用者が導電性皮革を握る際の触感が一層優れる。また、高級感が向上する。
【００１８】
上記加脂剤としては、特に限定されないが、皮革と導電性物質の接着性、又は皮革と色材との接着性が向上するという観点から、例えば、天然油、合成油などが好ましい。上記加脂剤の割合は、上記皮革１００重量部に対して、１〜３０重量部が好ましく、より好ましくは２〜１５重量部、さらに好ましくは２．５〜１０重量部である。加脂剤の割合が上記範囲であることにより、導電性皮革の色落ち（色材の脱落）や、導電性皮革に含まれる導電性物質の脱落を防ぐことができる。また、皮革が柔らかくなり触感が向上する。
【００１９】
また、上記加脂剤の割合は、特に限定されないが、導電性皮革に含まれる導電性物質の脱落を一層防ぐことができるという観点から、導電性物質１００重量部に対して、１０〜３００重量部含まれることが好ましい。
【００２０】
上記導電性皮革には、意匠性の観点から、例えば、色材（例えば、電気を通す性質を有さない色材など）が含まれていてもよい。
【００２１】
上記の中でも、上記導電性皮革としては、カーボンブラック、酸化チタン（特に、ＡＴＯ被覆酸化チタン）及び酸化亜鉛（特に、Ａｌ被覆酸化亜鉛）からなる群より選ばれる少なくとも１種の導電性物質と加脂剤とを含む天然皮革が好ましい。
【００２２】
上記導電性皮革のマイクロ硬度は、特に限定されないが、ペン先の滑りやペン先の弾性の観点から、例えば、５５〜６５°が好ましく、より好ましくは５５．５〜６２°である。上記マイクロ硬度は、例えば、加脂剤の割合、皮革の種類などにより調節することができる。
【００２３】
上記導電性皮革の静摩擦係数としては、特に限定されないが、操作性の観点から、例えば、０．１５〜０．３５が好ましく、より好ましくは０．２０〜０．３３である。また、上記導電性皮革の動摩擦係数としては、特に限定されないが、操作性の観点から、例えば、０．１５〜０．３５が好ましく、より好ましくは０．２０〜０．３２である。
中でも、上記導電性皮革は、マイクロ硬度が５５〜６５°（好ましくは５５．５〜６２°、特に好ましくは５８〜６０°）の時の静摩擦係数が、０．１５〜０．３５であることが好ましく、０．２０〜０．３３であることがより好ましい。また、上記導電性皮革は、マイクロ硬度が５５〜６５°（好ましくは５５．５〜６２°、特に好ましくは５８〜６０°）の時の動摩擦係数が、０．１５〜０．３５であることが好ましく、０．２０〜０．３２であることがより好ましい。上記摩擦係数は、例えば、導電性物質の割合、皮革の種類などにより調節することができる。
【００２４】
上記マイクロ硬度及び摩擦係数（静摩擦係数、動摩擦係数）は、情報入力器具から剥がしたタッチパネルと接触する先端部分（導電性皮革）、又は情報入力器具を製造する際にタッチパネルと接触する先端部分の材料として用いる導電性皮革、を測定することにより得られる値をいう。上記マイクロ硬度、及び上記摩擦係数は、後述の評価の「マイクロ硬度」又は「摩擦係数」に記載の方法により測定した値をいう。
【００２５】
上記導電性皮革を製造する方法は、特に限定されないが、例えば、上記導電性物質、上記加脂剤、上記色材などを含む溶液又は分散液（例えば、溶媒（例えば、水やアルコールなど）中で混合した溶液又は分散液など）を、上記皮革に塗布（例えばスプレー塗布など）又は含浸させ、その後乾燥、固着させる方法などが挙げられる。
上記導電性皮革先端部分を製造する方法は、特に限定されないが、例えば、導電性皮革を縫製して製造する方法が挙げられる。
【００２６】
上記導電性皮革先端部分の形状は、特に限定されないが、例えば、先端が丸みを帯びた形状（凸曲面状、ドーム状、略半球状）、先端が尖った形状（略三角状）、先端が平らの形状などが挙げられる。中でも、操作性、タッチパネルを傷つけにくいという観点から、先端が丸みを帯びた形状（特に、弾性のある丸みを帯びた形状）が好ましい。
【００２７】
上記導電性皮革先端部分は、外周が導電性皮革で覆われ、その内部に導電性皮革よりも柔らかい素材（例えば、フェルト、クッション材、布など）が含まれる構成、または外周が導電性皮革で覆われ、その内部が空洞の構成であってもよい。タッチパネルと先端部分との接触面積が大きいと、ペン先の動きをタッチパネルが感知しやすくなる。内部が空洞又は導電性皮革よりも柔らかい素材であることにより、ペン先に圧力をかけて、タッチパネルと先端部分との接触面積を広げるなどして、接触面積を制御し、操作性を向上させることができる。また、皮革の使用量が減るため、生産コストを抑えることができる。
【００２８】
本発明の情報入力器具は、例えば、導電性皮革先端部分以外にも、導電性を有する部分を有することが好ましい。本発明の情報入力器具は、導電性皮革先端部分と他の導電性を有する部分のみから構成されていてもよいし、導電性皮革先端部分、他の導電性を有する部分、及び他の導電性を有しない部分から構成されていてもよい。
なお、本願明細書において、導電性皮革先端部分以外の導電性を有する部分（タッチパネルと接触する先端部分以外の導電性を有する部分）を、「他の導電性を有する部分」と称する場合がある。導電性皮革先端部分以外の導電性を有しない部分（タッチパネルと接触する先端部分以外の導電性を有しない部分）を、「他の導電性を有しない部分」と称する場合がある。
【００２９】
上記他の導電性を有する部分は、例えば、導電性物質を含む部分であることが好ましい。中でも、上記導電性皮革からなる部分、上記導電性物質のみからなる部分、上記導電性物質を含む樹脂からなる部分、またはこれらが混合した部分などがより好ましい。
【００３０】
上記他の導電性を有する部分における、上記導電性皮革からなる部分の、導電性皮革としては、上述のものが挙げられる。上記導電性皮革先端部分と、他の導電性を有する部分とは、同じ導電性皮革から構成されていてもよいし、異なる導電性皮革から構成されていてもよい。
【００３１】
上記他の導電性を有する部分における、導電性物質としては、上述のものが挙げられる。中でも、銀、銅、金、ニッケル、アルミニウム、インジウム、亜鉛、スズ、タンタル、マグネシウム、ナトリウム、ベリリウム、バリウム、カドミウム、カルシウム、ルビジウム、セシウム、リチウム、モリブデン、コバルト、ウラン、クロム、マンガン、鉄、白金、タングステン、オスミウム、チタン、イリジウム、ルテニウム、ニッケル、ロジウム、パラジウム、鋼、タリウム、鉛、ニオビウム、バナジウム、砒素、アンチモン、水銀、ビスマス、テルル、及びこれらの組み合わせ、または合金などの金属、上記金属の酸化物（例えば、三酸化アンチモン（ＡＴＯ）、酸化インジウムスズ（ＩＴＯ）など）などが好ましい。上記他の導電性を有する部分が、導電性物質のみからなる部分である場合、アルミニウム、鉄、又はこれらの合金（アルミニウム合金、鉄合金など）がより好ましい。上記他の導電性を有する部分が、導電性皮革からなる部分、又は導電性物質を含む樹脂からなる部分である場合、コストや含浸性の観点から、導電性物質がカーボンブラック、酸化チタン（特に、ＡＴＯ被覆酸化チタン）、酸化亜鉛（特に、Ａｌ被覆酸化亜鉛）であることが好ましい。上記導電性物質は、単独で又は２種以上を組み合わせて使用できる。
【００３２】
上記他の導電性を有する部分における樹脂としては、特に限定されないが、例えば、アクリル系樹脂、スチレン系樹脂、ウレタン系樹脂、フェノール系樹脂、エポキシ系樹脂、ポリオレフィン系樹脂、ポリ塩化ビニル、ポリ酸化ビニル、シリコーン系樹脂、ＡＢＳ樹脂などが挙げられる。
【００３３】
上記導電性物質を含む樹脂からなる部分には、上記導電性物質、上記樹脂以外にも、色材などが含まれていてもよい。
【００３４】
上記他の導電性を有しない部分としては、例えば、導電性物質を含まない部分であることが好ましい。上記他の導電性を有しない部分としては、例えば、上記樹脂からなる部分や、ゴムからなる部分などが挙げられる。なお、上記他の導電性を有しない部分には、タッチパネルの操作ができない程度に導電性物質を含む部分も含まれる。
【００３５】
本発明の情報入力器具は、少なくともタッチパネルと接触する先端部分が、導電性皮革先端部分であることが好ましい。中でも、皮革の表皮側（毛が生えていた側）の方が導電性物質を含浸しやすいという観点から、導電性皮革の表皮側をタッチパネルと接触する表面とすることが好ましい。本発明の情報入力器具は、タッチパネルと接触する先端とは逆側の端部も、上記導電性皮革からなる端部であってよい。本発明の情報入力器具の両端部分が、導電性皮革である場合、両端の導電性皮革は同じであってもよいし、異なっていてもよい。中でも、生産コストの観点から、両端が同じ導電性皮革からなる部分であることが好ましい。
【００３６】
本発明の情報入力器具の端部が、導電性皮革先端部分であることにより、タッチパネルの操作が容易となる（端部のタッチパネル上でのすべりがよく、端部の弾性に優れる）。また、タッチパネル表面の皮脂や指紋跡を取ることもできる。特に、タッチパネル表面が、ガラスではなく、樹脂性の膜である場合でも、情報入力器具の端部が適度に滑ることで操作が向上し、また適度な弾性を有するのでタッチパネルを傷つけにくい。
【００３７】
本発明の情報入力器具において、タッチパネルと接触する先端部分の表面抵抗率（タッチパネルと接触する導電性皮革表面の表面抵抗率）は、特に限定されないが、操作性の観点から、例えば、５．０×１０6Ω以下（例えば、１．０×１０3〜５．０×１０6Ω）が好ましく、５．０×１０5Ω以下がより好ましく、９．１×１０4Ωより小さいことがさらに好ましい。
上記表面抵抗率は、例えば、導電性物質の割合、皮革の種類、導電性皮革の製造方法などにより調節することができる。なお、上記表面抵抗率は、情報入力器具から剥がしたタッチパネルと接触する先端部分（導電性皮革）、又は情報入力器具を製造する際にタッチパネルと接触する先端部分の材料として用いる導電性皮革、を測定することにより得られる値をいう。表面抵抗率の測定方法は、後述の評価の「表面抵抗率」に記載の方法である。
【００３８】
本発明の情報入力器具は、人体に触れる部分を有することが好ましい。上記人体に触れる部分としては、例えば、使用者の指（指先や指の腹など）が接触する部分（部位）（情報入力器具を保持、操作する際、使用者の指が接触する部位を含む領域）が挙げられる。上記人体に触れる部分は、例えば、上記他の導電性を有する部分であることが好ましい。
【００３９】
本発明の情報入力器具は、導電性皮革先端部分と人体に触れる部分とが、電気的に接合していること（接触していること、又は導電性を有する部分を介してつながっていること）が好ましい。
【００４０】
本発明の情報入力器具は、一端部又は両端部が導電性皮革先端部分であり、且つ人体に触れる部分（例えば、使用者の指が接触する部分）が導電性を有する部分であり、これらの部分は電気的に接合していることが好ましい。この場合、情報入力器具を使用する際、人体（例えば、使用者の指）と、操作画面とが電気的に接合するため、情報入力器具とタッチパネル（操作画面）の間の静電容量を容易に変化させることができる。
【００４１】
本発明の情報入力器具の製造方法としては、特に限定されないが、例えば、既存の情報入力器具（例えばペンやキャップなど）や棒状の物の一部又は全体に導電性皮革を巻きつけて接着剤や両面テープなどにより貼り付ける（固定する）方法などが挙げられる。また、操作性がより向上するという観点から、導電性皮革先端部分と人体に触れる部分とは、導電性皮革を縫製によりつなぎ合わせて製造することが好ましい。導電性皮革は、一枚の皮革であってもよいし、複数の皮革を縫製したもの（縫い合わせたもの）であってもよい。
【００４２】
具体的には、本発明の情報入力器具の製造方法は、例えば、貼り付ける情報入力器具や棒状の物の形状に合わせて導電性皮革を切り取る工程（工程１）、接着剤や両面粘着テープによって、切り取った導電性皮革を情報入力器具や棒状の物に貼り付ける工程（工程２）を含むことが好ましい。
【００４３】
上記工程１において、切り取った導電性皮革には、意匠性やコストの観点から、人体に触れる部分（例えば、使用者の指と上記ペンとが接触する導電性を有する部位に相当する部分４２）には、ストライプ状（縞状、筋状、単数または複数本（例えば２〜２０本など）の線状（例えば、直線状、波線状、点線状、折れ線状など））、１つの点、渦巻き状（略円、略多角形状の渦巻き状など）、図形（星、略円、略多角形、十字架など）など切り取り部分４３が設けられていてもよい（図１７）。また、タッチパネルと接触する先端部分の形状に浮きなく貼り付けることができ、意匠性に優れるという観点から、タッチパネルと接触する先端部分に相当する部分４１には、スリット４４（又は切欠き）が設けられていてもよい（図１８）。
【００４４】
上記工程２において、接着剤を塗布する部位、又は両面粘着テープを貼付する部位は、切り取った導電性皮革の一部であってもよいし、全面であってもよい。
【００４５】
本発明の情報入力器具の製造方法には、操作性が向上し、貼り付けた導電性皮革の端部が浮き上がりにくくなるという観点から、工程２の後に、貼り付けた導電性皮革を縫い合わせる工程（工程３）が設けられていてもよい。縫い合わせる部位としては、例えば、図１６における、タッチパネルと接触する先端部分に相当する部分４１周囲、使用者の指と上記ペンとが接触する導電性を有する部位に相当する部分４２端部などが挙げられる。また、縫い合わせに着色された糸を使用することにより、意匠性がさらに向上する場合がある。縫い合わせの方法としては、例えば、祭り縫い、クロスステッチ、平縫いなどが挙げられる。
【００４６】
本発明の情報入力器具の製造方法には、縫い合わせた部位や各部位の境界などの外観の観点から、工程２又は工程３の後に、はみ出た部分などの不要部分を切り取る工程（工程４）が設けられていてもよい。
【００４７】
本発明の情報入力器具は、タッチパネルの操作に用いる器具である。上記タッチパネルとしては、例えば、抵抗膜方式のタッチパネル、静電容量方式のタッチパネルなどが挙げられる。中でも、静電容量方式のタッチパネルが好ましい。
【００４８】
本発明の情報入力器具は、特に限定されないが、例えば、スマートフォン、携帯電話、パソコンのモニター、携帯型のＰＣ、携帯情報端末、ＡＴＭ、自動券売機、デジタルオーディオプレーヤー、携帯ゲーム機、コピー機、ファックス、カーナビ、などの静電容量方式のタッチパネルの操作に用いることができる。
【００４９】
本発明の情報入力器具としては、例えば、ペン、キャップ、アタッチメント（棒状の物に装着する器具）などが挙げられる。以下に、本発明の情報入力器具の具体的態様の例（図１〜１１、１３）を示す。図中、斜線部が導電性を有する部分であり、それ以外の部分が導電性を有しない部分である。
【００５０】
（ペン）
上記ペンとしては、特に限定されないが、例えば、ボールペン、サインペン、万年筆、蛍光マーカー、ボードマーカー、筆ペンなどの筆記具が挙げられる。
【００５１】
以下に、上記ペンの好ましい具体的態様の例を示す。図１、２、３は、上記ペンの一例を示す図である。
【００５２】
上記ペンにおいて、タッチパネルと接触する先端部分１１は、導電性皮革先端部分である。上記ペンは、一端部（ペン先部１４又はペン先部とは逆側の端部１５）が導電性皮革先端部分であってもよいし（図１、２）、両端部が導電性皮革先端部分であってもよい（図３）。また、導電性皮革先端部分は、ペンのインクが出る端部（ペン先）と同じ側に設けられていてもよいし（図２、３）、異なる端部（ペン先と逆側の端部）に設けられていてもよい（図１、３）。
【００５３】
タッチパネルと接触する先端部分１１の形状は、特に限定されないが、例えば、先端が丸みを帯びた形状（凸曲面状、ドーム状、略半球状）、先端が尖った形状（略三角状）、先端が平らの形状などが挙げられる。中でも、操作性、タッチパネルを傷つけにくいという観点から、先端が丸みを帯びた形状（特に、弾性のある丸みを帯びた形状）が好ましい（図１、２、３）。
【００５４】
なお、図２、及び図３のペンは、ペン先が収納可能なペン（例えば、ノック式のペン、回転式のペン、ツイスト式のペンなど）であり、ペン先の収納時に、情報入力器具としての機能を発揮する。
【００５５】
上記ペンは、タッチパネルと接触する先端部分以外にも、情報入力操作時に使用者の指と上記ペンとが接触する部位（人体に触れる部分）に、導電性を有する部分（他の導電性を有する部分のうち使用者の指と上記ペンとが接触する部分、使用者の指と上記ペンとが接触する部分であって導電性を有する部分）を含む。上記ペンは、使用者の指と上記ペンとが接触する導電性を有する部分１２が、導電性皮革からなる部分又は導電性物質のみからなる部分であることが好ましい。中でも、手汗、皮脂を吸収しやすく使用感（例えば、指とペンとが滑りにくくなるなど）に優れ、使用者が握った際の触感に優れ、高級感のある外観を有するという観点から、使用者の指と上記ペンとが接触する導電性を有する部分１２は、導電性皮革からなる部分であることが好ましい。特に、生産コストを抑えることができ、生産効率が向上し、全体として統一感ある外観により意匠性が向上するという観点から、タッチパネルと接触する先端部分１１と、使用者の指と上記ペンとが接触する導電性を有する部分１２とは、同じ組成の導電性皮革からなる部分であることが好ましい。
【００５６】
上記ペンでは、使用者の指と上記ペンとが接触する導電性を有する部分１２は、ペンの一部であってもよいし（図１、２）、タッチパネルと接触する先端部分１１を除く全体（図３）であってもよい。また、タッチパネルと接触する先端部分１１又は使用者の指と上記ペンとが接触する導電性を有する部分１２には、意匠性及びコストの観点から、本願発明の効果を損なわない範囲で、ストライプ状（縞状、筋状、単数または複数本（例えば２〜２０本など）の線状（例えば、直線状、波線状、点線状、折れ線状など））、１つの点、渦巻き状（略円、略多角形状の渦巻き状など）、図形（星、略円、略多角形、十字架など）など切り取り部分４３が設けられていてもよい（図１７）。
【００５７】
タッチパネルと接触する先端部分１１と、使用者の指と上記ペンとが接触する導電性を有する部分１２とは、電気的に接合している。特に、タッチパネルと接触する先端部分１１と、使用者の指と上記ペンとが接触する導電性を有する部分１２とは、少なくとも一部が接触していることが好ましい（図１、２、３）。
【００５８】
上記ペンは、さらに他の導電性を有しない部分１３を含んでいてもよい（図１、２）。
【００５９】
上記ペンとしては、例えば、ペンの一部が導電性を有しており（例えば、使用者の指と上記ペンとが接触する導電性を有する部分１２など）、ペン先とは逆側の端部が導電性皮革先端部分であるペン（図１）、ペンの一部が導電性を有しており（例えば、使用者の指と上記ペンとが接触する導電性を有する部分１２など）、ペン先が導電性皮革先端部分であるペン（図２）、ペン全体が導電性を有しており（例えば、使用者の指と上記ペンとが接触する導電性を有する部分１２など）、ペン先及びペン先とは逆側の端部が導電性皮革先端部分であるペン（図３）などが挙げられる。回転式のペン又はツイスト式のペンは、図２の態様が好ましい。
【００６０】
上記ペンの製造方法としては、特に限定されないが、例えば、既存のペンの一部又は全体に導電性皮革を巻きつけて接着剤や両面テープなどにより貼り付ける方法などが挙げられる。また、操作性が向上し、貼り付けた導電性皮革の端部が浮き上がりにくくなるという観点から、導電性皮革先端部分１１と使用者の指をペンとが接触する導電性を有する部位１２とは、縫製によりつなぎ合わせることが好ましい。導電性皮革は、一枚の皮革であってもよいし、複数の皮革を縫製したもの（縫い合わせたもの）であってもよい。
【００６１】
上記ペンにおいて、タッチパネルと接触する先端部分１１と、情報入力時に使用者の指と上記ペンとが接触する導電性を有する部分１２とは、電気的に接合している。そのため、使用者が上記ペンを使用する際、使用者の指と上記ペンとが接触する導電性を有する部分１２、及び導電性皮革先端部分を通して、タッチパネルの静電容量を変化させることができる。
【００６２】
（キャップ）
上記キャップとしては、特に限定されないが、例えば、鉛筆、上記ペンなどのキャップが挙げられる。
【００６３】
以下に、上記キャップの好ましい具体的態様の例を示す。図４、５、６、７、８は、上記キャップの一例を示す図である。
【００６４】
上記キャップにおいて、タッチパネルと接触する先端部分２１は、導電性皮革先端部分である（図４、５、６、７、８）。
【００６５】
タッチパネルと接触する先端部分２１の形状は、特に限定されないが、例えば、先端が丸みを帯びた形状（凸曲面状、ドーム状、略半球状）、先端が尖った形状（略三角状）、先端が平らの形状などが挙げられる。中でも、操作性、タッチパネルを傷つけにくいという観点から、先端が丸みを帯びた形状（特に、弾性のある丸みを帯びた形状）が好ましい（図４、５、６、７、８）。
【００６６】
上記キャップは、タッチパネルと接触する部分以外にも、情報入力時に使用者の指と上記キャップとが接触する部位（人体に触れる部分）に、導電性を有する部分（他の導電性を有する部分のうち使用者の指と上記キャップとが接触する部分、使用者の指と上記キャップとが接触する導電性を有する部分）を含む。上記キャップは、使用者の指と上記キャップとが接触する導電性を有する部分２２が、導電性皮革からなる部分又は導電性物質のみからなる部分であることが好ましい。中でも、手汗、皮脂を吸収しやすく使用感（例えば、指とペンとが滑りにくくなるなど）に優れ、使用者が握った際の触感に優れ、高級感のある外観を有するという観点から、使用者の指と上記キャップとが接触する導電性を有する部分２２は、導電性皮革からなる部分であることが好ましい。特に、生産コストを抑えることができ、生産効率が向上し、全体として統一感ある外観により意匠性が向上するという観点から、タッチパネルと接触する先端部分２１と、使用者の指と上記ペンとが接触する導電性を有する部分２２とは、同じ組成の導電性皮革からなる部分であることが好ましい。
【００６７】
上記キャップでは、使用者の指と上記キャップとが接触する導電性を有する部分２２は、キャップの一部であってもよいし（図６、７）、タッチパネルと接触する先端部分２１を除く全体（図４、５、８）であってもよい。また、タッチパネルと接触する先端部分２１、又は使用者の指と上記ペンとが接触する導電性を有する部分２２には、意匠性及びコストの観点から、本願発明の効果を損なわない範囲で、ストライプ状（縞状、筋状、単数または複数本（例えば２〜２０本など）の線状（例えば、直線状、波線状、点線状、折れ線状など））、１つの点、渦巻き状（略円、略多角形状の渦巻き状など）、図形（星、略円、略多角形、十字架など）など切り取り部分４３が設けられていてもよい（図１７）。
【００６８】
上記キャップは、キャップの内側表面（ペン先を収納する部分の内側表面、ペン先を覆う部分の内側表面）が導電性を有する部分であってもよいし（図８）、導電性を有していなくてもよい（図４、５、６、７）。
【００６９】
上記キャップは、クリップを有していてもよい（図４、６、７、８）。上記クリップとは、例えば、シャツのポケットや書類などを挟むため部位をいう。上記キャップにおいて、クリップが導電性を有していてもよいし（図４、７、８）、導電性を有していなくてもよい（図６）。
【００７０】
図７のように導電性を有さない部分と導電性を有するクリップを設けることにより、クリップに触れた時だけタッチパネルの静電容量を変化させることができる。そのため、タッチパネル操作をしたくない場合には導電性を有さない部分を持ち、更に導電性を有する部分に連続して触れるだけでダブルタップが可能となるなど、操作性が一層向上する。
【００７１】
タッチパネルと接触する先端部分２１と、使用者の指と上記キャップとが接触する導電性を有する部分２２とは、電気的に接合している。特に、タッチパネルと接触する先端部分２１と、使用者の指と上記ペンとが接触する導電性を有する部分２２とは、少なくとも一部が接触していることが好ましい（図４、５、６、７、８）。
【００７２】
上記キャップは、さらに他の導電性を有しない部分２３を含んでいてもよい（図６、７）。
【００７３】
上記キャップとしては、例えば、キャップ全体が導電性を有しており、タッチパネルと接触する先端部分２１が導電性皮革先端部分であるクリップ付きキャップ（図４）、キャップ全体が導電性を有しており、タッチパネルと接触する先端部分２１が導電性皮革先端部分であるクリップが付いていないキャップ（図５）、キャップの一部が導電性を有しており、タッチパネルと接触する先端部分２１が導電性皮革先端部分であり、クリップ以外の部分が導電性を有するクリップ付きキャップ（クリップが他の導電性を有しない部分２３であるキャップ、図６）、キャップの一部が導電性を有しており、タッチパネルと接触する先端部分２１が導電性皮革先端部分であり、クリップ以外の部分が導電性を有していないクリップ付きキャップ（クリップが導電性を有する部分であるキャップ、図７）、キャップ全体が導電性を有しており、タッチパネルと接触する先端部分２１が導電性皮革先端部分であり、キャップの内側表面も導電性を有しているクリップ付きキャップ（図８）などが挙げられる。
【００７４】
上記キャップの製造方法としては、特に限定されないが、例えば、既存のキャップの一部又は全体に導電性皮革を巻きつけて接着剤や両面テープなどにより貼り付ける方法などが挙げられる。また、操作性が向上し、貼り付けた導電性皮革の端部が浮き上がりにくくなるという観点から、導電性皮革先端部分２１と使用者の指をペンとが接触する導電性を有する部位２２とは、縫製によりつなぎ合わせることが好ましい。導電性皮革は、一枚の皮革であってもよいし、複数の皮革を縫製したもの（縫い合わせてもの）であってもよい。
【００７５】
上記キャップは、導電性皮革先端部分を有しているため、情報入力の操作性に優れる。例えば、上記キャップを、ペン先を覆う形態（ペン先を収納する形態）で用いる場合は、情報入力のみを行うタッチペンとして使用できる。また、ペン先とは逆側の端部にキャップを取り付けている場合は、筆記具及びタッチペンとして使用することができる。なお、キャップのみを情報入力器具として用いてもよい。
【００７６】
上記キャップにおいて、タッチパネルと接触する先端部分２１と、情報入力時に使用者の指と上記ペンとが接触する導電性を有する部分２２とは、電気的に接合している。そのため、使用者が上記キャップを使用する際、使用者の指と上記ペンとが接触する導電性を有する部分２２、及び導電性皮革先端部分を通して、タッチパネルの静電容量を変化させることができる。
【００７７】
（アタッチメント）
上記アタッチメントは、棒状の物に取り付けて（装着して）タッチパネルを操作することが好ましい。上記アタッチメントは、アタッチメントのみを情報入力器具として用いてもよいし、棒状の物に取り付けてタッチパネルを操作してもよい。
【００７８】
上記アタッチメントは、例えば、タッチパネルと接触する部分、棒状の物に取り付ける部分、及び人体に触れる部分を有することが好ましい。以下に、上記アタッチメントの好ましい具体的態様の例を示す。図９、１０、１１、１３は、上記アタッチメントの一例を示す図である。図１２は、アタッチメントの使用態様の一例を示す図である。
【００７９】
上記アタッチメントにおいて、タッチパネルと接触する先端部分は、導電性物質を含む（図９、１０、１１、１３の３１）。上記タッチパネルと接触する先端部分としては、導電性皮革先端部分、例えば、鉄、鉄合金、またはアルミニウム合金などの表面を、導電性物質を含む部材で覆った部分などが挙げられる。
【００８０】
上記アタッチメントにおけるタッチパネルと接触する先端部分３１に含まれる導電性物質は、特に限定されないが、例えば、上述の導電性物質が挙げられる。中でも、コストや含浸性の観点から、カーボンブラック、酸化チタン（特に、ＡＴＯ被覆酸化チタン）、酸化亜鉛（特に、Ａｌ被覆酸化亜鉛）が好ましい。上記導電性物質は、単独で又は２種以上を組み合わせて使用できる。
【００８１】
上記アタッチメントにおけるタッチパネルと接触する先端部分３１としては、特に限定されないが、導電性物質を含む皮革からなる部分、導電性物質を含む樹脂からなる部分、及びこれらの組み合わせなどが挙げられる。中でも、操作性、高級感のある外観、触感の観点から、導電性物質を含む皮革からなる部分（導電性皮革先端部分）であることが好ましい。
【００８２】
上記アタッチメントのタッチパネルと接触する先端部分３１における導電性皮革先端部分としては、上述のものが挙げられる。上記アタッチメントのタッチパネルと接触する先端部分３１における上記樹脂としては、上述のものが挙げられる。
【００８３】
タッチパネルと接触する先端部分３１の形状は、特に限定されないが、例えば、先端が丸みを帯びた形状（凸曲面状、ドーム状、略半球状）（図９、１０）、先端が尖った形状（略三角状）、先端が平らの形状（図１１、１３）などが挙げられる。
【００８４】
上記アタッチメントは、棒状の物に容易に取り付けることができるという観点から、棒状の物に取り付ける部分（棒状の物に取り付ける（装着する）際にアタッチメントを棒状の物に固定するためのクリップ、クリップＡ）を有することが好ましい（図９、１０、１１、１３の３４）。上記アタッチメントは、上記クリップＡに棒状の物を取り付けてタッチパネルを操作する。
上記クリップＡは、導電性を有していてもよいし（図１０、１１、１３）、導電性を有していなくてもよい（図９）。上記クリップＡとしては、特に限定されないが、例えば、上記導電性皮革からなる部分、上記導電性物質のみから形成される部分、上記導電性物質を含む樹脂から形成される部分、又はこれらの組み合わせなどが挙げられる。中でも、アタッチメントを棒状の物に強固に固定できる観点から、導電性物質のみからなる部分であることが好ましい。クリップＡは、一つだけ設けられていてもよいし（図９、１０、１１、１３）、２以上設けられていてもよい。
【００８５】
上記クリップＡにおける導電性物質としては、例えば、上述のものが挙げられる。中でも、アタッチメントを棒状の物に強固に固定できる観点から、鉄、鉄合金、またはアルミニウム合金が好ましい。即ち、上記棒状の物に取り付ける部分は、鉄、鉄合金、またはアルミニウム合金のみから形成されていることが好ましい。
【００８６】
上記クリップＡの形状としては、棒状の物に取り付けることができる形状であれば特に限定されないが、例えば、略トーラス状（例えば、浮き輪型、ドーナツ型など）の形状から一部くりぬいた（切り欠いた）形状（図９、１０、１１、１３）、略Ｕ字型などが挙げられる。
【００８７】
上記アタッチメントは、人体に触れる部分（情報入力操作時に使用者の指と上記アタッチメントとが接触する部分）を有することが好ましい（図９、１０、１１、１３の３２）。上記人体に触れる部分は、導電性を有することが好ましい。即ち、上記人体に触れる部分３２は、使用者の指と上記アタッチメントとが接触する部分であって導電性を有する部分（使用者の指と上記アタッチメントとが接触する導電性を有する部分）であることが好ましい。
【００８８】
上記人体に触れる部分３２は、例えば、導電性物質を含む部分であることが好ましく、具体的には、導電性皮革からなる部分、導電性物質からなる部分、導電性物質を含む樹脂からなる部分、又はこれらの組み合わせである部分であることがより好ましい。中でも、導電性の観点から、導電性物質のみからなる部分であることが好ましい。上記人体に触れる部分３２における導電性物質としては、例えば、上述のものが挙げられる。中でも、鉄、鉄合金、またはアルミニウム合金が好ましい。即ち、上記人体に触れる部分３２は、鉄、鉄合金、またはアルミニウム合金のみから形成されていることが好ましい。
【００８９】
上記棒状の物に取り付ける部分３４、及び上記人体に触れる部分３２は、導電性が一層優れるという観点から、同一の組成であることが好ましい。
【００９０】
上記アタッチメントは、クリップＡ（棒状の物に取り付ける部分）のほかに、ペンなどに装着した際、シャツのポケットや書類などを挟むためのクリップ（クリップＢ）を有していてもよい（図９、１０、１１、１３）。上記クリップＢは、導電性を有していることが好ましい。中でも、上記アタッチメントにおいて、上記人体に触れる部分３２は、クリップＢ（例えば、導電性を有しているクリップＢなど）であることが好ましい（図９、１０、１１、１３）。
【００９１】
上記クリップＢは、導電性皮革からなる部分、導電性物質からなる部分、導電性物質を含む樹脂からなる部分、又はこれらの組み合わせであることが好ましい。中でも、導電性の観点から、導電性物質のみからなる部分であることが好ましい。上記クリップＢにおける導電性物質としては、例えば、上述のものが挙げられる。中でも、鉄、鉄合金、またはアルミニウム合金が好ましい。即ち、上記クリップＢは、鉄、鉄合金、またはアルミニウム合金のみから形成されていることが好ましい。
【００９２】
上記アタッチメントは、タッチパネルと接触する先端部分３１と、人体に触れる部分３２（例えば、使用者の指と上記キャップとが接触する導電性を有する部分、クリップＢなど）とは、電気的に接合している。タッチパネルと接触する先端部分３１と、人体に触れる部分３２とは、少なくとも一部が接触していてもよいし、導電性を有する部分（例えば、棒状の物に取り付ける部分、他の導電性を有する部分など）を介して結ばれて（つながれて）いてもよい（図９、１０、１１、１３）。
【００９３】
上記アタッチメントにおいて、先端面の傾き３７は、特に限定されないが、操作性の観点から、例えば、０〜９０°が好ましい（例えば、図１４、１５）。上記傾きの上限としては、例えば、７０°が好ましく、より好ましくは５０°、さらに好ましくは４０°、特に好ましくは３５°である。また、上記傾きの下限としては、例えば、１０°が好ましく、より好ましくは２０°、さらに好ましくは２５°、特に好ましくは２７°である。先端面の傾きが上記範囲であることにより、タッチパネル操作時にアタッチメントを装着したペン等をタッチパネルに対して垂直にする必要がなくなり、文字を書くような持ち方で操作でき、操作性が一層向上する。アタッチメントの先端面は、その傾きが固定されていてもよいし、上記範囲（例えば０〜９０°など）で可動するように設けられていてもよい。
上記先端面の傾き３７とは、アタッチメントの先端面３６と、装着する棒状の物（例えば、ペンなど）の長さ方向３８（長軸方向）との角度をいう（図１４、１５）。上記アタッチメントにおいて、先端面の傾きが０〜９０°の場合、タッチパネルと接触する先端部分の形状（アタッチメントの先端面の形状）は、特に限定されないが、操作性が一層向上する観点から、平らであることが好ましい（図１４）。なお、タッチパネルと接触する先端部分の形状（アタッチメントの先端面の形状）が、先端が丸みを帯びた形状である場合、上記アタッチメントの先端面とは、底面の平ら状の面をいう（図１５）。
【００９４】
上記アタッチメントにおいて、タッチパネルと接触する先端部分３１の形状が平らであって、先端面が傾いている場合、棒状の物に取り付ける部分３４（例えばクリップＡ）と人体に触れる部分３２（例えばクリップＢ）とは、接触していることが好ましい（図１１）。
図１１のアタッチメントのように、人体に触れる部分３２（例えばクリップＢ）は、棒状の物を握った際、人差し指が当たる位置に設けられていてもよい（図１１、１２）。
即ち、上記アタッチメントは、図１１のように、棒状の物に取り付ける部分３４と、人体に触れる部分３２との位置関係が、例えば、アタッチメントの先端面３６とタッチパネル３９とが平行になるようにアタッチメントをタッチパネルに接触させた際、人体に触れる部分３２がタッチパネル３９から離れた位置になるように設けられていてもよい（図１４、１５）。
【００９５】
図９、１０、１１、１３のように人体に触れる部分３２を、導電性を有するクリップＢとすることにより、クリップＢに触れた時だけタッチパネルの静電容量を変化させることができる。そのため、タッチパネル操作をしたくない場合に導電性を有さない部分（取り付けた棒状の物の部分）を持つ、又はクリップ部分に連続して触れるだけでダブルタップが可能となるなど、操作性が一層向上する。
【００９６】
上記アタッチメントとしては、例えば、タッチパネルと接触する先端部分３１が導電性皮革先端部分であり、人体に触れる部分３２が導電性を有する部分であり、タッチパネルと接触する先端部分３１と人体に触れる部分３２とが、他の導電性を有する部分３３を介して電気的に接合しており、棒状の物に取り付ける部分３４が導電性を有していないアタッチメント（図９）、タッチパネルと接触する先端部分３１が導電性皮革先端部分であり、人体に触れる部分３２が導電性を有する部分であり、タッチパネルと接触する先端部分３１と人体に触れる部分３２とが、他の導電性を有する部分３３を介して電気的に接合しており、棒状の物に取り付ける部分３４が導電性を有するアタッチメント（図１０）、タッチパネルと接触する先端部分３１が導電性皮革先端部分であり、その形状が平らであり、先端面の傾きが約３０°であり、人体に触れる部分３２が導電性を有する部分であり、タッチパネルと接触する先端部分３１と人体に触れる部分３２とが、他の導電性を有する部分３３及び棒状の物に取り付ける部分３４を介して電気的に接合しており、棒状の物に取り付ける部分３４が導電性を有しているアタッチメント（図１１）、タッチパネルと接触する先端部分３１が導電性皮革先端部分であり、その形状が平らであり、先端面の傾きが約３０°であり、人体に触れる部分３２が導電性を有する部分であり、タッチパネルと接触する先端部分３１と人体に触れる部分３２とが、他の導電性を有する部分３３を介して電気的に接合しており、棒状の物に取り付ける部分３４が導電性を有しているアタッチメント（図１３）などが挙げられる。
【００９７】
上記アタッチメントの製造方法としては、特に限定されないが、例えば、既存のアタッチメントの一部又は全体に導電性皮革を巻きつけて接着剤や両面テープなどにより貼り付ける方法などが挙げられる。また、操作性が向上し、貼り付けた導電性皮革の端部が浮き上がりにくくなるという観点から、導電性皮革先端部分３１は、縫製により縫い合わせてもよい。導電性皮革は、一枚の皮革であってもよいし、複数の皮革を縫製したもの（縫い合わせてもの）であってもよい。
【００９８】
上記アタッチメントを取り付ける（装着する）棒状の物としては、特に限定されないが、例えば、上記ペン、指し棒、レーザーポインタ、指、ガラス棒などが挙げられる。なお、指に装着する場合、棒状の物に取り付ける部分は、人体に触れる部分ともなる。
【００９９】
上記アタッチメントは、棒状の物に取り付ける部分３４に棒状の物を取り付けて、タッチパネルを操作することができる。例えば、棒状の物に取り付ける部分３４（クリップＡなど）をペン３５（棒状の物）に取り付けて使用することにより、ペン３５にタッチパネルを操作する機能を付与することができる（図１２）。図１２のペン３５において、タッチパネルと接触する先端部分３１は、平らの形状で先端面が傾いているため、操作性に一層優れる。また、人体に触れる部分３２（クリップＢなど）は、身体に触れる部分であるとともに、ペンなどに装着した際、シャツのポケットや書類などを挟むためのクリップともなる。
【実施例】
【０１００】
以下、本発明について実施例及び比較例を挙げてさらに具体的に説明する。本発明はこれらにより何ら限定されるものではない。
【０１０１】
（実施例１）
カーボンブラック分散液（ＮＶ（固形分濃度）＝１５％）１９重量部、加脂剤（ＮＶ＝５５％）１２．２重量部、黒染料（ＮＶ＝１００％）１．０重量部、水６７．８重量部を均一に撹拌し、導電性物質含有溶液を調製した。
牛革（鞣し天然皮革（レタン済み））（１００ｇ、厚さ０．５ｍｍ）を、上記導電性物質含有溶液１４７．５ｇ中に浸し、染色機で温度５０℃１．５時間処理した。その後、ｐＨを約４．０に調整し、温度６０℃で１時間乾燥させ、導電性皮革を得た。
上記導電性皮革を、図１６の形状（タッチパネルと接触する先端部分に相当する部分４１と使用者の指とペンとが接触する導電性を有する部位に相当する部分４２）に切り取り、一方の面（皮革の皮下組織側）にアクリル系接着剤を塗って、ボールペン（商品名「ユニボールシグノ」三菱鉛筆（株）社製、直径９ｍｍ）に貼り付けた。その後、タッチパネルと接触する先端部分に相当する部分４１と、使用者の指とペンとが接触する導電性を有する部位に相当する部分４２とを縫い合わせ、導電性皮革部分を有するペン（ペン先とは逆側の端部が導電性皮革先端部分であるペン、図１の態様のペン）を製造した。
なお、本明細書において、ＮＶ（固形分濃度）とは、温度１２０℃で加熱した後に残る残留成分の割合をいう。
【０１０２】
（実施例２）
カーボンブラック分散液（ＮＶ＝１６．５％）３．３重量部、導電性酸化チタン分散液（ＮＶ＝７５％）４．４重量部、導電性酸化亜鉛（ＮＶ＝２０％）２．２重量部、加脂剤（ＮＶ＝２０％）１０重量部、茶色染料（ＮＶ＝１００％）３．１重量部、水７７重量部を均一に撹拌し、導電性物質含有溶液（ブラウン）を調製した。
牛革（鞣し天然皮革（レタン済み））（１００ｇ、厚さ０．５ｍｍ）を、上記導電性物質含有溶液（ブラウン）１３４．６ｇ中に浸し、染色機で温度５０℃１．５時間処理した。その後、ｐＨを約４．０に調整し、温度６０℃で１時間乾燥させ、ブラウンの導電性皮革を得た。
その後、実施例１と同様にして、ブラウンの導電性皮革先端部分を有するペンを製造した。
【０１０３】
（実施例３）
導電性酸化チタン分散液８５重量部（ＮＶ＝３５．３％）、加脂剤（ＮＶ＝５５％）１５重量部、水５５重量部を均一に撹拌し、導電性物質含有溶液（ホワイト）を調製した。
牛革（鞣し天然皮革（レタン済み））（１００ｇ、厚さ０．５ｍｍ）を、上記導電性物質含有溶液（ホワイト）１００ｇ中に浸し、染色機で温度５０℃１．５時間処理した。その後、ｐＨを約４．０に調整し、温度６０℃で１時間乾燥させ、ホワイトの導電性皮革を得た。
その後、実施例１と同様にして、ホワイトの導電性皮革先端部分を有するペンを製造した。
【０１０４】
（実施例４）
実施例１と同様にして、キャップ（商品名「ユニボールシグノ」三菱鉛筆（株）社製の筆記具のキャップ）のタッチパネルと接触する先端部分、及び使用者の指とペンとが接触する導電性を有する部位に導電性皮革を貼り付け、縫い合わせた。その後、キャップのクリップ部分に、実施例１で得られた上記導電性皮革をアクリル系接着剤で貼り付け、導電性皮革部分を有するキャップ（キャップ全体が導電性を有しており、タッチパネルと接触する先端部分が導電性皮革先端部分であるクリップ付きキャップ、図４の態様のキャップ）を製造した。
【０１０５】
（実施例５）
アルミニウム合金で、図１３の形状のアタッチメントを作製した。その後、タッチペンと接触する先端部分３１に、実施例１で得られた導電性皮革を、アクリル系接着剤で貼り付け、タッチパネル用アタッチメント（図１３のアタッチメント）を製造した。先端面の傾きは、３０°であった。
【０１０６】
（比較例１）
タッチペン（商品名「Ｐ−ＴＰＬＢＫ」、ＥＬＥＣＯＭ社製）を用いた。
【０１０７】
（評価）
上記の実施例及び比較例で得られた導電性皮革及び情報入力器具について、下記の評価を行った。
【０１０８】
（マイクロ硬度）
実施例１で得られた導電性皮革、及び導電シリコーンゴムシート（品番「ＫＤ０００７」、共和工業社製）のマイクロ硬度を、温度２３℃の環境下で、硬度計（商品名「マイクロゴム硬度計ＭＤ−１」、高分子計器株式会社製）を用いて測定した。同一試料について５回の測定を行い、平均値をマイクロ硬度（°）とした。
実施例１で得られた導電性皮革、及び導電シリコーンゴムシートのマイクロ硬度は、共に５９°であった。
【０１０９】
（摩擦係数）
実施例１で得られた導電性皮革、及び導電シリコーンゴムシート（品番「ＫＤ０００７」、共和工業社製）を、長さ６ｃｍ、幅６ｃｍに切り取り、サンプルを５つ作成した。得られたサンプルを温度２３℃、湿度５０％ＲＨの環境下に２４時間放置し、その後、ＪＩＳ  Ｋ７１２５に準拠して、温度２３℃、湿度５０％ＲＨの環境下で、表面性試験機（商品名「ＨＥＩＤＯＮ−１４Ｓ／Ｄ」、新東科学株式会社製）を用いて静摩擦係数および動摩擦係数を測定した。各試験片について、静摩擦係数および動摩擦係数を測定し、５つの試験片の測定値の平均値を、静摩擦係数および動摩擦係数とした。
なお、測定は、試験片にフィルム（商品名「ルミラー」、東レ社製）を、滑り片に上記サンプル（重量２００ｇ）を用いて、引張速度１００ｍｍ／分の条件で行った。結果を表１に示す。
【０１１０】
【表１】
2016038835.tif 000003
【０１１１】
導電性皮革と導電性を有するゴムとは、マイクロ硬度が同程度の場合、導電性皮革の方が、摩擦係数（静摩擦係数、動摩擦係数）が低く、タッチパネル表面の滑りに優れる。
【０１１２】
（表面抵抗率）
実施例１で得られた導電性皮革（厚さ０．５ｍｍ）を、長さ６ｃｍ、幅６ｃｍに切り取った。抵抗率計（商品名「ハイレスタ−ＵＰ（ＭＣＰ−ＨＴ４５０）」、株式会社三菱化学アナリテック製）を用いて、温度２０℃、湿度２０％ＲＨの環境下で、表面抵抗率を５回測定し、平均値を表面抵抗率（Ω）とした。なお、プローブには、ＵＲ−ＳＳプローブ（ＭＣＰ−ＨＴＰ１５）（株式会社三菱化学アナリテック製）を使用し、印加電圧は１０Ｖとした。
上記導電性皮革の表面抵抗率（タッチパネルと接触する先端部分の表面抵抗率）は、検出限界よりも低く、９．１×１０4Ω未満であった。
【０１１３】
（操作性）
実施例１−３で得られたペン、実施例４で得られたキャップ、実施例５で得られたアタッチメントを装着したペン（商品名「ユニボールシグノ」三菱鉛筆（株）社製、直径９ｍｍ）、及び比較例１のタッチペンを用いて、スマートフォン（商品名「ＩＳ１２ＳＨ」、ＳＨＡＲＰ社製）の操作を行い、操作性を評価した。なお、使用したスマートフォンのタッチパネル表面はガラスであった。
実施例のペン、キャップ、及びアタッチメントは、ペン先の滑りに優れ、操作性に優れるものであった。また、見た目の高級感に優れていた。また、実施例５のアタッチメントは、ペンに容易に装着することができた。また、実施例５のアタッチメントは、先端面の傾きが３０°であるため、操作性に非常に優れていた。
一方、比較例のペンは、ペン先の滑りが重く、操作性に劣っていた。
【符号の説明】
【０１１４】
１１：タッチパネルと接触する先端部分（導電性皮革先端部分）
１２：使用者の指とペンとが接触する導電性を有する部位
１３：他の導電性を有しない部分
１４：ペン先部
１５：ペン先部とは逆側の端部
２１：タッチパネルと接触する先端部分（導電性皮革先端部分）
２２：使用者の指とキャップとが接触する導電性を有する部位
２３：他の導電性を有しない部分
３１：タッチパネルと接触する先端部分（導電性皮革先端部分）
３２：人体に触れる部分
３３：他の導電性を有する部分
３４：棒状の物に取り付ける部分（クリップＡ）
３５：ペン（棒状の物）
３６：アタッチメントの先端面
３７：先端面の傾き（アタッチメントの先端面の傾き）
３８：装着する棒状の物の長さ方向
３９：タッチパネル
４１：タッチパネルと接触する先端部分に相当する部分
４２：使用者の指とペンとが接触する導電性を有する部位に相当する部分
４３：切取り部分
４４：スリット
【図１】
2016038835.tif 000004
【図２】
2016038835.tif 000005
【図３】
2016038835.tif 000006
【図４】
2016038835.tif 000007
【図５】
2016038835.tif 000008
【図６】
2016038835.tif 000009
【図７】
2016038835.tif 000010
【図８】
2016038835.tif 000011
【図９】
2016038835.tif 000012
【図１０】
2016038835.tif 000013
【図１１】
2016038835.tif 000014
【図１２】
2016038835.tif 000015
【図１３】
2016038835.tif 000016
【図１４】
2016038835.tif 000017
【図１５】
2016038835.tif 000018
【図１６】
2016038835.tif 000019
【図１７】
2016038835.tif 000020
【図１８】
2016038835.tif 000021